(57)【要約】【課題】測定時間帯の設定が自由にでき、各時間帯毎の電力使用量や各時間帯の日毎の電力使用量の比較ができる電子式電力量計を提供する。【解決手段】電子式電力量計１は、電力使用量を測定する測定手段と、時刻及び日時を計時する計時手段と、各種データを記憶する記憶手段と、各種演算を行う演算手段と、データの表示を行う液晶パネル２と、表示手段の表示の切り替えや設定等をするための操作ボタン３とを備え、操作ボタン３を使用して任意に設定した時間帯の電力使用量を測定手段により測定して記憶手段に記憶し、演算手段により設定した時間帯の電力使用量を積算し、液晶パネル２により表示を行うようになっている。また、記憶装置に記憶した過去の測定データを操作ボタン３を使って選択し、液晶パネル２に表示することもできる。【選択図】        図１
2004177126.tif 000002
【特許請求の範囲】
【請求項１】
電力使用量を測定する測定手段と、時刻及び日時を計時する計時手段と、各種データを記憶する記憶手段と、各種演算を行う演算手段と、データの表示を行う表示手段と、該表示手段の表示の切り替えや設定等をするための操作手段とを備えた電子式電力量計において、前記操作手段により任意に設定した時間帯の電力使用量を前記測定手段により測定して前記記憶手段に記憶し、前記演算手段により前記設定した時間帯の電力使用量を積算し、前記表示手段により表示を行うことを特徴とする電子式電力量計。
【請求項２】
１日を複数の時間帯に区分して設定できることを特徴とする請求項１に記載の電子式電力量計。
【請求項３】
前記記憶手段により過去の測定データを記憶し、該測定データを前記操作手段により選択して前記表示手段により表示できるようにしたことを特徴とする請求項１又は請求項２に記載の電子式電力量計。
【発明の詳細な説明】
【０００１】
【発明の属する技術分野】
本発明は、電力使用量を測定して表示を行う電子式電力量計に関する。
【０００２】
【従来の技術】
従来、電力使用量を測定して表示を行う電子式電力量計は、例えば、特開２０００−４６８７９号公報、特開２０００−１６２２５２号公報、特開２０００−２２７４４９号公報や特開２００１−１４７２４１号公報に開示されるものがあり、特開２０００−４６８７９号公報と特開２０００−２２７４４９号公報の電子式電力量計は、昼間時間帯と夜間時間帯に分けて積算電力量を表示できるようになっている。また、特開２０００−１６２２５２号公報の電子式電力量計は、１時間単位、１日単位、１週間単位等の単位時間毎の電力量を表示できるようになっている。また、特開２００１−１４７２４１号公報の電子式電力量計は、瞬時使用電力、瞬時消費電力、単位時間当たりの電力量、積算電力量、単位時間当たりの使用料金、積算使用料金、過去の使用電力との比較値等を表示するようになっていた。
【０００３】
【発明が解決しようとする課題】
しかしながら、特開２０００−２２７４４９号公報と特開２００１−１４７２４１号公報の電子式電力量計は、測定したい時間帯が規定の時間帯と一致しなければならないという問題があるし、特開２０００−１６２２５２号公報と特開２００１−１４７２４１号公報の電子式電力量計は任意の時間帯における電力使用量を測定できず、測定するには単位時間毎の電力量から該当する時間の電力量を拾い出して合計しなければならないという問題があった。
【０００４】
そこで上記問題点に鑑み、本発明の目的は、測定時間帯の設定が自由にでき、各時間帯毎の電力使用量や各時間帯の日毎の電力使用量の比較ができる電子式電力量計を提供することである。
【０００５】
【課題を解決するための手段】
上記目的を達成するために、請求項１に記載の発明によれば、電力使用量を測定する測定手段と、時刻及び日時を計時する計時手段と、各種データを記憶する記憶手段と、各種演算を行う演算手段と、データの表示を行う表示手段と、表示手段の表示の切り替えや設定等をするための操作手段とを備えた電子式電力量計において、操作手段により任意に設定した時間帯の電力使用量を測定手段により測定して記憶手段に記憶し、演算手段により設定した時間帯の電力使用量を積算し、表示手段により表示を行うことを特徴とする。
【０００６】
請求項２に記載の発明によれば、請求項１に記載の電子式電力量計において、１日を複数の時間帯に区分して設定できることを特徴とする。
【０００７】
請求項３に記載の発明によれば、請求項１又は請求項２に記載の電子式電力量計において、記憶手段により過去の測定データを記憶し、測定データを操作手段により選択して表示手段により表示できるようにしたことを特徴とする。
【０００８】
【発明の実施の形態】
請求項１に記載の発明によれば、電力使用量を測定する測定手段と、時刻及び日時を計時する計時手段と、各種データを記憶する記憶手段と、各種演算を行う演算手段と、データの表示を行う表示手段と、表示手段の表示の切り替えや設定等をするための操作手段とを備えた電子式電力量計において、操作手段により任意に設定した時間帯の電力使用量を測定手段により測定して記憶手段に記憶し、演算手段により設定した時間帯の電力使用量を積算し、表示手段により表示を行うことにより、測定時間帯の設定が自由にできる。
【０００９】
請求項２に記載の発明によれば、請求項１に記載の電子式電力量計において、１日を複数の時間帯に区分して設定できることにより、各時間帯毎の電力使用量の比較ができる。
【００１０】
請求項３に記載の発明によれば、請求項１又は請求項２に記載の電子式電力量計において、記憶手段により過去の測定データを記憶し、測定データを操作手段により選択して表示手段により表示できるようにしたことにより、各時間帯の日毎の電力使用量の比較ができる。
【００１１】
【実施例】
本発明に係る電子式電力量計の一実施例を図１〜図４の添付図面に基づいて説明する。
【００１２】
図１は電子式電力量計の正面図を示している。電子式電力量計１は、電力使用量を測定する測定手段と、時刻及び日時を計時する計時手段と、各種データを記憶する記憶手段と、各種演算を行う演算手段と、データの表示を行う表示手段の一例である液晶パネル２と、表示手段の表示の切り替えや設定等をするための操作手段である複数の操作ボタン３とを備え、操作ボタン３を使用して任意に設定した時間帯の電力使用量を測定手段により測定して記憶手段に記憶し、演算手段により設定した時間帯の電力使用量を積算し、液晶パネル２により表示を行うようになっている。
【００１３】
図２は時間帯の設定例を示し、例えば、１日を３つの時間帯に区分するとして、「記録１」「記録２」「記録３」という名称とする。各時間帯は更に２つの時間帯（時間帯１，時間帯２）を合わせたものにすることもでき、記録１の時間帯１を０時〜６時、時間帯２を１２時〜１７時とし、記録２の時間帯１を６時〜１０時、時間帯２を１７時〜２２時とし、記録３の時間帯１を１０時〜１２時、時間帯２を２２時〜２４時とする。
【００１４】
図３は液晶パネルの表示例を示し、画面にはデータが３段に表示している。上段の左側には画面全体が記録１〜記録３のうちの何番について表示しているかを示し、この例は記録１を表示している。右側には時間帯１の開始時刻と終了時刻を表示し、中段には時間帯２の開始時刻と終了時刻を表示し、下段には時間帯１と時間帯２の合計電力量を表示している。電子式電力量計は記憶手段により過去数日の測定データを記憶でき、例えば８日間のデータを記憶している。液晶パネルの下段に表示した合計電力量の左側に表示される数字は何日前のデータであるかを表しており、表示例では「１」と表示されているので前日のデータを表示している。この表示の切り替えは操作ボタン３により行うことができ、日毎の電力使用量を比較できるようになっている。
【００１５】
操作ボタン３は図１に示すように左から「設定」「シフト」「上方向の矢印」「下方向の矢印」「ライト」となっている。図４は時間帯の設定画面の表示例を示し、これらのボタンを使用して設定を行う。設定画面にするには図３の通常表示画面において「設定」を長押しする。また、「設定」は記録１〜記録３の選択ができ、「シフト」は項目の選択ができる。選択された項目は点滅して表示され、「上方向の矢印」と「下方向の矢印」を使用して数値の変更を行う。「上方向の矢印」と「下方向の矢印」は図３の通常表示画面の下段左側の表示日の切替にも用いられる。また、「ライト」は画面の表示を一時的に明るくすることができる。設定を終了するには「設定」を長押しする。
【００１６】
尚、本実施例において、時間帯の設定で１日を３つの区分に分け、更にこれらの区分は２つの区分から構成したが、時間帯の区分については自由に設定できる。電子式電力量計１の記憶装置は過去のデータを記憶しているため、各時間帯の電力使用量や各時間帯の日毎の電力使用量の比較をすることがができ、節電の目安とすることができる。
【００１７】
【発明の効果】
以上説明したように請求項１に記載の発明によれば、電力使用量を測定する測定手段と、時刻及び日時を計時する計時手段と、各種データを記憶する記憶手段と、各種演算を行う演算手段と、データの表示を行う表示手段と、表示手段の表示の切り替えや設定等をするための操作手段とを備えた電子式電力量計において、操作手段により任意に設定した時間帯の電力使用量を測定手段により測定して記憶手段に記憶し、演算手段により設定した時間帯の電力使用量を積算し、表示手段により表示を行うことにより、測定時間帯の設定が自由にできるという効果がある。
【００１８】
請求項２に記載の発明によれば、請求項１に記載の電子式電力量計において、１日を複数の時間帯に区分して設定できることにより、各時間帯毎の電力使用量の比較ができるという効果がある。
【００１９】
請求項３に記載の発明によれば、請求項１又は請求項２に記載の電子式電力量計において、記憶手段により過去数日の測定データを記憶し、測定データを操作手段により選択して表示手段により表示できるようにしたことにより、各時間帯の日毎の電力使用量の比較ができるという効果がある。
【図面の簡単な説明】
【図１】本発明に係る電子式電力量計の正面図である。
【図２】時間帯の設定例を示し、（ａ）は表であり、（ｂ）はグラフである。
【図３】液晶パネルの表示例を示す。
【図４】設定時における液晶パネルの表示例を示す。
【符号の説明】
１    電子式電力量計
２    液晶パネル
３    操作ボタン
【図１】
2004177126.tif 000003
【図２】
2004177126.tif 000004
【図３】
2004177126.tif 000005
【図４】
2004177126.tif 000006